(57)【要約】【課題】複数の番組を自動的に分類して個別の記録媒体に記録することができる放送記録装置を提供する。【解決手段】放送される番組と既に記録ディスクＤに記録されている番組のタイトルとの関連付けが録画リスト３７３に記憶されており、記録ディスクＤと記憶部２５に設けられている複数の録画領域の内の一の録画領域との関連付けがディスクリスト３７２に記憶されている。放送される番組を予約録画するときに、放送される番組のタイトルと同じタイトルの番組が既に記録されている記録ディスクＤが記録部２１に装着されているならば、記録部２１は、装着されている記録ディスクＤに番組を予約録画する。記録ディスクＤが装着されていないならば、記録ディスクＤに関連付けられている録画領域に番組が予約録画され、記録ディスクＤが装着された場合に、録画領域から記録ディスクＤに番組がダビングされる。【選択図】図２
2010251991.tif 000002
【特許請求の範囲】
【請求項１】
着脱可能な記録媒体が装着され、装着されている記録媒体に、放送される番組の内容を表わす番組データを記録する放送記録装置において、
一の記録媒体の媒体識別情報、及び前記一の記録媒体に既に記録されている番組データに係る番組の番組識別情報を関連付けて記憶する識別記憶部と、
放送される番組の番組識別情報を含んでおり、番組データの記録を予約するための予約情報を記憶する予約記憶部と、
一の予約情報に含まれている番組識別情報によって特定される番組が放送される場合に、前記番組識別情報に関連付けられている媒体識別情報を有する記録媒体に、前記番組の番組データを記録する番組記録手段と
を備えることを特徴とする放送記録装置。
【請求項２】
前記番組記録手段は、一の予約情報に含まれている番組識別情報によって特定される番組が放送される場合に、前記番組識別情報に関連付けられている媒体識別情報を有する記録媒体が装着されているときには、該記録媒体に、前記番組の番組データを記録するようにしてあり、
夫々が番組データを記憶する複数の記憶領域を有する番組記憶部と、
一の記録媒体の媒体識別情報、及び前記複数の記憶領域の内の一の記憶領域を関連付けて記憶する媒体記憶部と、
少なくとも前記記録媒体が装着されていないときには、前記媒体識別情報に関連付けられている記憶領域に、前記番組の番組データを記憶させる記憶制御手段と
を更に備えることを特徴とする請求項１に記載の放送記録装置。
【請求項３】
前記媒体記憶部に媒体識別情報が記憶されている記録媒体が装着されている場合、該記録媒体に、前記媒体識別情報に関連付けられている記憶領域に記憶されている番組データの内で前記記録媒体に記録されていない番組データを記録するデータ記録手段を備えることを特徴とする請求項２に記載の放送記録装置。
【請求項４】
前記番組識別情報として、番組のタイトルを用いるようにしてあることを特徴とする請求項１から３の何れかひとつに記載の放送記録装置。
【請求項５】
前記番組識別情報として、番組が放送されるチャンネル、放送される時間帯、及び放送される曜日を用いるようにしてあることを特徴とする請求項１から４の何れかひとつに記載の放送記録装置。
【請求項６】
複数の記録媒体を装着することが可能なようにしてあり、
番組データを記録する際には、前記複数の記録媒体の内の一の記録媒体を選択し、選択した記録媒体に記録するようにしてあることを特徴とする請求項１から５の何れかひとつに記載の放送記録装置。
【発明の詳細な説明】
【技術分野】
【０００１】
本発明は、放送される番組の映像及び音声等の内容を表わす番組データを記録媒体に記録する放送記録装置に関する。
【背景技術】
【０００２】
現在、ＴＶ（テレビジョン）放送によって放送される番組を録画する放送記録装置（録画装置）が普及している。
放送記録装置の使用者は、ＤＶＤ（Digital Versatile Disc）又はＢＤ（Blu-ray Disc）等の記録ディスクを放送記録装置に装着する。更に、使用者は、放送記録装置を操作して、所望の番組を録画予約する。
放送記録装置は、録画予約された番組の番組データを、記録ディスクに記録（予約録画）する。
【０００３】
従来、コンテンツを複数に分割し、複数の記録媒体に分配して記録する記録媒体管理装置が提案されている（特許文献１参照）。
特許文献１に記載の記録媒体管理装置では、分割されたコンテンツが、元のコンテンツに統合されてから、又は、分割されたコンテンツのまま、利用される。
【先行技術文献】
【特許文献】
【０００４】
【特許文献１】特開２００４−１９２７８５号公報
【発明の概要】
【発明が解決しようとする課題】
【０００５】
使用者には、例えば毎週放送される連続ドラマ番組を、一の記録ディスクに予約録画させ、また、毎日放送されるニュース番組等を、一の記録ディスクとは異なる他の記録ディスクに予約録画させたいという要望がある。
しかしながら、連続ドラマ番組を録画すべき一の記録ディスクが放送記録装置に装着されている場合に、他の記録ディスクに録画すべきニュース番組が放送されてしまうと、このニュース番組が誤って一の記録ディスクに録画されてしまうというトラブルが生じる。
【０００６】
このようなトラブルを未然に防ぐためには、使用者が、番組の録画予約と放送記録装置に装着してある記録ディスクとの関係を正確に把握し、個々の予約録画が開始される前に、適切な記録ディスクを放送記録装置に装着する必要がある。このため、使用者の負担が重い。
【０００７】
一の記録ディスクと他の記録ディスクとを都度取り替える手間暇を省くためには、２枚の記録ディスクが装着可能な放送記録装置を使用することが考えられる。この場合には、使用者が予め放送記録装置に一の記録ディスクと他の記録ディスクとを装着し、録画予約の際に、番組を録画すべき記録ディスクを指定しておけば、一の記録ディスクには連続ドラマ番組が毎週予約録画され、他の記録ディスクにはニュース番組が毎日予約録画される。
ところが、３種類以上の番組を、３枚以上の記録ディスクに対して個別に録画する場合は、放送記録装置に装着されていない記録ディスクに番組を予約録画するために、使用者が記録ディスクを適宜に取り替えなければならない。
【０００８】
ところで、ハードディスク内蔵型の放送記録装置では、番組をハードディスクに予約録画してから、適切な記録ディスクにダビングすることが可能である。この場合、一の記録ディスクに記録すべき番組を誤って他の記録ディスクに記録してしまうトラブルの発生は抑制される。
しかしながら、使用者が、ダビングすべき番組を逐一選択し、更に、適切な記録ディスクを放送記録装置に装着する必要があるため、放送記録装置の操作が煩雑であるという欠点を有する。
【０００９】
特許文献１に記載の記録媒体管理装置を用いる場合、異なる記録媒体に記録されてしまった番組を統合する用途には好適であるが、連続ドラマ番組とニュース番組とを異なる記録媒体に夫々記録する用途には不適である。
【００１０】
本発明は斯かる事情に鑑みてなされたものであり、その主たる目的は、記録媒体と、この記録媒体に既に録画されている番組とを関連付けておき、放送される番組を予約録画するときに、この番組に類する番組が既に記録されている記録媒体に、放送される番組を録画する構成とすることにより、複数の番組を自動的に分類して個別の記録媒体に記録することができる放送記録装置を提供することにある。
【課題を解決するための手段】
【００１１】
本発明に係る放送記録装置は、着脱可能な記録媒体が装着され、装着されている記録媒体に、放送される番組の内容を表わす番組データを記録する放送記録装置において、一の記録媒体の媒体識別情報、及び前記一の記録媒体に既に記録されている番組データに係る番組の番組識別情報を関連付けて記憶する識別記憶部と、放送される番組の番組識別情報を含んでおり、番組データの記録を予約するための予約情報を記憶する予約記憶部と、一の予約情報に含まれている番組識別情報によって特定される番組が放送される場合に、前記番組識別情報に関連付けられている媒体識別情報を有する記録媒体に、前記番組の番組データを記録する番組記録手段とを備えることを特徴とする。
【００１２】
本発明に係る放送記録装置は、前記番組記録手段は、一の予約情報に含まれている番組識別情報によって特定される番組が放送される場合に、前記番組識別情報に関連付けられている媒体識別情報を有する記録媒体が装着されているときには、該記録媒体に、前記番組の番組データを記録するようにしてあり、夫々が番組データを記憶する複数の記憶領域を有する番組記憶部と、一の記録媒体の媒体識別情報、及び前記複数の記憶領域の内の一の記憶領域を関連付けて記憶する媒体記憶部と、少なくとも前記記録媒体が装着されていないときには、前記媒体識別情報に関連付けられている記憶領域に、前記番組の番組データを記憶させる記憶制御手段とを更に備えることを特徴とする。
【００１３】
本発明に係る放送記録装置は、前記媒体記憶部に媒体識別情報が記憶されている記録媒体が装着されている場合、該記録媒体に、前記媒体識別情報に関連付けられている記憶領域に記憶されている番組データの内で前記記録媒体に記録されていない番組データを記録するデータ記録手段を備えることを特徴とする。
【００１４】
本発明に係る放送記録装置は、前記番組識別情報として、番組のタイトルを用いるようにしてあることを特徴とする。
【００１５】
本発明に係る放送記録装置は、前記番組識別情報として、番組が放送されるチャンネル、放送される時間帯、及び放送される曜日を用いるようにしてあることを特徴とする。
【００１６】
本発明に係る放送記録装置は、複数の記録媒体を装着することが可能なようにしてあり、番組データを記録する際には、前記複数の記録媒体の内の一の記録媒体を選択し、選択した記録媒体に記録するようにしてあることを特徴とする。
【００１７】
本発明にあっては、放送される番組に類する番組が既に記録されている記録媒体に、放送される番組の番組データを記録する。
このために、放送記録装置は、識別記憶部及び予約記憶部と、番組記録手段とを備える。
各記録媒体は、媒体識別情報を用いて特定することができる。
一の番組に類する番組は、一の番組の番組識別情報（タイトル、ジャンル、又は放送日時等）を用いて特定することができる。
【００１８】
識別記憶部は、媒体識別情報と番組識別情報とを関連付けて記憶する。ただし、媒体識別情報に関連付けられる番組識別情報は、この媒体識別情報を有する記録媒体に既に記録されている番組データに係る番組の番組識別情報である。つまり、識別記憶部は、放送記録装置に登録されている記録媒体に既に録画されている番組に類する番組の番組識別情報を記憶する。
予約記憶部は、番組データの記録を予約するための予約情報を記憶する。予約情報には、放送される番組の番組識別情報が含まれている。
【００１９】
一の予約情報に含まれている番組識別情報によって特定される番組が放送される場合、この番組の番組データは、この番組に類する番組が既に録画されている記録媒体に記録させることが望まれる。例えば、連続ドラマ番組の２話目（又は今日放送されるニュース番組）は、連続ドラマ番組の１話目（又は昨日放送されたニュース番組）が既に録画されている記録媒体に録画されることが望ましい。
放送される番組に類する番組が既に録画されている記録媒体とは、放送される番組の番組識別情報に関連付けられている媒体識別情報を有する記録媒体である。
そこで、番組記録手段は、この記録媒体に、放送される番組の番組データを記録する。
【００２０】
本発明にあっては、放送される番組に類する番組が既に記録されている記録媒体が放送記録装置に装着されている場合は、装着されている記録媒体に、放送される番組の番組データを記録する。一方、放送される番組に類する番組が既に記録されている記録媒体が存在し、且つ、放送記録装置に装着されていない場合は、この記録媒体が装着されるまで、記録媒体に対する番組データの記録は行なわない。
このために、放送記録装置は、番組記憶部、媒体記憶部、識別記憶部、及び予約記憶部と、番組記録手段、記憶制御手段、及びデータ記録手段とを備える。
番組記憶部は複数の記憶領域を有し、各記憶領域に、番組データを記憶する。
【００２１】
各記録媒体は、媒体識別情報を用いて特定することができる。
媒体記憶部は、媒体識別情報と記憶領域とを関連付けて記憶する。ここで、媒体記憶部に媒体識別情報が記憶されている記録媒体とは、放送記録装置に登録されている記録媒体である。つまり、放送記録装置に登録されている記録媒体は、番組記憶部が有する何れかの記憶領域に一対一対応で関連付けられる。
【００２２】
一の番組に類する番組は、一の番組の番組識別情報（タイトル、ジャンル、又は放送日時等）を用いて特定することができる。
識別記憶部は、媒体識別情報と番組識別情報とを関連付けて記憶する。ただし、媒体識別情報に関連付けられる番組識別情報は、この媒体識別情報を有する記録媒体に既に記録されている番組データに係る番組の番組識別情報である。つまり、識別記憶部は、放送記録装置に登録されている記録媒体に既に録画されている番組に類する番組の番組識別情報を記憶する。
予約記憶部は、番組データの記録を予約するための予約情報を記憶する。予約情報には、放送される番組の番組識別情報が含まれている。
【００２３】
一の予約情報に含まれている番組識別情報によって特定される番組が放送される場合、この番組の番組データは、この番組に類する番組が既に録画されている記録媒体に記録させることが望まれる。例えば、連続ドラマ番組の２話目（又は今日放送されるニュース番組）は、連続ドラマ番組の１話目（又は昨日放送されたニュース番組）が既に録画されている記録媒体に録画されることが望ましい。
放送される番組に類する番組が既に録画されている記録媒体とは、放送される番組の番組識別情報に関連付けられている媒体識別情報を有する記録媒体である。
そこで、番組記録手段は、この記録媒体が放送記録装置に装着されているときには、この記録媒体に、放送される番組の番組データを記録する。
【００２４】
ところが、放送される番組に類する番組が既に録画されている記録媒体が存在している場合であっても、この記録媒体が放送記録装置に装着されていないときには、番組記録手段による番組データの記録を行なうことはできない。
ゆえに、記憶制御手段が、放送される番組の番組データを、記憶領域に記憶させる。ただし、このとき番組データを記憶する記憶領域は、放送される番組の番組識別情報に関連付けられている媒体識別情報に関連付けられている記憶領域である。換言すれば、この記憶領域は、放送される番組に類する番組が既に録画されている記録媒体の媒体識別情報に関連付けられている記憶領域である。
【００２５】
なお、放送される番組の番組識別情報に関連付けられている媒体識別情報を有する記録媒体が放送記録装置に装着されているときでも、記憶制御手段が、放送される番組の番組データを、記憶領域に記憶させる構成でもよい。
【００２６】
本発明にあっては、放送される番組に類する番組が既に録画されている記録媒体が放送記録装置に装着されていないときに記憶領域に記憶された番組データを、改めて記録媒体に記録させることができる。
このために、データ記録手段は、登録されている記録媒体が放送記録装置に装着されている場合、装着されている記録媒体に、記憶領域に記憶されている番組データを記録する。
【００２７】
ただし、このとき記録媒体に記録される番組データは、この記録媒体が有する媒体識別情報に関連付けられている記憶領域に記憶されている番組データである。従って、他の記録媒体に記録すべき番組データが、この記録媒体に記録されてしまう不都合の発生が抑制される。
また、このとき記録媒体に記録される番組データは、この記録媒体に記録されていない番組データである。従って、記録媒体に同じ番組データが複数記録されてしまう不都合の発生が抑制される。
【００２８】
以上の結果、番組の放送開始時に適切な記録媒体が装着されていれば、同類の番組を同一の記録媒体に録画することができる。また、番組の放送開始時に適切な記録媒体が装着されておらずとも、番組を記憶部に録画し、後日、適切な記録媒体にダビングすることができる。
【００２９】
本発明にあっては、番組のタイトルを番組識別情報として用いる。
個々の番組はタイトルを用いて識別されるため、例えば番組が放送される時間帯が変更された場合であっても、放送される番組を、この番組に類する番組が既に録画されている記録媒体に記録させることができる。
【００３０】
本発明にあっては、番組が放送されるチャンネル、放送される時間帯、及び放送される曜日を、番組識別情報として用いる。
個々の番組は、チャンネル、時間帯、及び曜日を用いて識別されるため、例えば番組のタイトルが同一ではない場合であっても、放送される番組を、この番組に類する番組が既に録画されている記録媒体に記録させることができる。
【００３１】
本発明にあっては、放送記録装置に、複数の記録媒体を装着することが可能である。このため、使用者が記録媒体を取り替える手間暇を低減することができる。特に、放送記録装置に登録されている全ての記録媒体が放送記録装置に装着されている場合は、使用者が記録媒体を取り替えずとも、放送される番組を自動的に分類して、適切な記録媒体に記録することができる。
【００３２】
また、番組データの記録時には、放送記録装置に装着されている複数の記録媒体の内の一の記録媒体が選択され、選択された一の記録媒体に番組データが記録される。このため、同時に２個以上の記録媒体に番組データを記録するための煩雑な処理及び複雑な回路構成が不要である。つまり、簡易な処理で番組データを記録することができ、また、放送記録装置の回路構成の簡単にすることができる。
【発明の効果】
【００３３】
本発明の放送記録装置による場合、同類の番組を同一の記録媒体に録画することができる。
このために、使用者は、放送記録装置に記録媒体を登録し、また、予約情報を記憶させておき、更に、登録した記録媒体を、任意のタイミングで放送記録装置に装着すればよい。従って、放送記録装置の操作が簡便であり、使用者の負担が軽減される。
【図面の簡単な説明】
【００３４】
【図１】本発明の実施の形態１に係る放送記録装置である録画装置の外観を示す概念図である。
【図２】本発明の実施の形態１に係る放送記録装置である録画装置の要部構成を示すブロック図である。
【図３】本発明の実施の形態１に係る放送記録装置である録画装置が備える不揮発性メモリが記憶している予約リストの一例を示す模式図である。
【図４】本発明の実施の形態１に係る放送記録装置である録画装置が備えるストレージの内部構成を示す模式図である。
【図５】本発明の実施の形態１に係る放送記録装置である録画装置が備える不揮発性メモリが記憶しているディスクリストの一例を示す模式図である。
【図６】本発明の実施の形態１に係る放送記録装置である録画装置が備える不揮発性メモリが記憶している録画リストの一例を示す模式図である。
【図７】本発明の実施の形態１に係る放送記録装置である録画装置で実行される予約受付処理の手順を示すフローチャートである。
【図８】本発明の実施の形態１に係る放送記録装置である録画装置で実行される予約録画処理の手順を示すフローチャートである。
【図９】本発明の実施の形態１に係る放送記録装置である録画装置で実行される予約録画処理の手順を示すフローチャートである。
【図１０】本発明の実施の形態１に係る放送記録装置である録画装置で実行される予約録画処理の手順を示すフローチャートである。
【図１１】本発明の実施の形態１に係る放送記録装置である録画装置で実行されるディスク着脱処理の手順を示すフローチャートである。
【図１２】本発明の実施の形態１に係る放送記録装置である録画装置で実行されるディスク着脱処理の手順を示すフローチャートである。
【図１３】本発明の実施の形態１に係る放送記録装置である録画装置で実行されるダビング処理の手順を示すフローチャートである。
【図１４】本発明の実施の形態２に係る放送記録装置である録画装置の要部構成を示すブロック図である。
【図１５】本発明の実施の形態２に係る放送記録装置が備える録画装置が備える不揮発性メモリが記憶しているディスクリストの一例を示す模式図である。
【発明を実施するための形態】
【００３５】
以下、本発明を、その実施の形態を示す図面に基づいて詳述する。
【００３６】
実施の形態  １．
図１は、本発明の実施の形態１に係る放送記録装置である録画装置１の外観を示す概念図である。図２は、録画装置１の要部構成を示すブロック図である。
図１に示すように、録画装置１には、ＴＶ受像機４が接続されている。録画装置１は、映像信号及び音声信号をＴＶ受像機４へ送信する。ＴＶ受像機４は、受信した映像信号に基づいた映像を表示し、音声信号に基づいた音声を出力する。ＴＶ受像機４が表示する映像及び出力する音声は、ＴＶ放送によって放送される番組の映像及び音声である。
なお、本実施の形態では録画装置１とＴＶ受像機４とが別体である場合を例示するが、録画装置１とＴＶ受像機４とが一体となっている形態でもよい。
【００３７】
リモコン（リモートコントローラ）５は、Ｂｌｕｅｔｏｏｔｈ（登録商標）方式で録画装置１を遠隔操作するための装置である。使用者は、例えば、所望の番組が放送されるチャンネルを選択する場合に、リモコン５を操作する。このために、リモコン５には、録画装置１の使用者によって押圧される各種の操作ボタンが設けられている。リモコン５は、押圧された操作ボタンに対応する操作信号を送信する。なお、リモコン５は、赤外線方式又はＲＦ方式等の遠隔操作装置であってもよい。
使用者が録画装置１を操作するための補助として、録画装置１は、自身の作動状況、設定内容、及び使用者に対する操作指示等を、ＴＶ受像機４に適宜に表示させる。
【００３８】
図２に示すように、録画装置１は、放送入力部１１、信号入力部１２、信号出力部１３、受信部１４、及び時計部１５と、ハイブリッドドライブ装置２と、バックエンド部３とを備える。
ハイブリッドドライブ装置２は、放送される番組の内容を表わす番組データを、着脱可能な記録ディスクＤに記録する。このために、ハイブリッドドライブ装置２は、制御部２０、記録部２１、ストレージ２２、及びインタフェース部２３を備える。これらは、ハイブリッドドライブ装置２内部のシステムバス２ｂを介して、互いに接続されている。
【００３９】
バックエンド部３は、放送される番組の番組データを生成する。このために、バックエンド部３は、ＣＰＵ３０、デジタルチューナ３１、エンコーダ３２、ストリーム処理部３３、揮発性メモリ３４、デコーダ３５、映像処理部３６、不揮発性メモリ３７、及びインタフェース部３８を備える。ＣＰＵ３０、ストリーム処理部３３、揮発性メモリ３４、デコーダ３５、不揮発性メモリ３７、及びインタフェース部３８は、バックエンド部３内部のシステムバス３ｂを介して、互いに接続されている。デジタルチューナ３１及びエンコーダ３２夫々は、ストリーム処理部３３に接続されている。また、デコーダ３５は映像処理部３６に接続されており、映像処理部３６は、バックエンド部３の外部の信号出力部１３に接続されている。
【００４０】
ハイブリッドドライブ装置２とバックエンド部３とは、インタフェース部２３とインタフェース部３８とを介在して接続されている。インタフェース部２３及びインタフェース部３８夫々は、例えばシリアルＡＴＡ（Advanced Technology Attachment）規格のインタフェース部である。
バックエンド部３のＣＰＵ３０と、受信部１４及び時計部１５とは、システムバス１ｂを介して、互いに接続されている。
放送入力部１１は、バックエンド部３のデジタルチューナ３１に接続されており、信号入力部１２は、バックエンド部３のエンコーダ３２に接続されている。
【００４１】
放送入力部１１は、図示しない外部のアンテナ等に接続されている。放送入力部１１には、デジタル放送の放送波を復調してなる放送信号が入力される。放送入力部１１は、入力されたデジタル放送の放送信号を、デジタルチューナ３１へ出力する。
信号入力部１２は、図示しない外部のチューナ等に接続されている。信号入力部１２には、アナログ放送の放送波を復調してなる放送信号が入力される。信号入力部１２は、入力されたアナログ放送の放送信号を、エンコーダ３２へ出力する。
【００４２】
放送入力部１１からデジタル放送の放送信号が入力されたデジタルチューナ３１は、入力された放送信号の内、選択されたチャンネルの放送信号、即ち特定の周波数帯の放送信号を、ＭＰＥＧ（Moving Picture Experts Group）−２ＴＳ（Transport Stream）等のデジタルのストリームデータに変換する。次いで、デジタルチューナ３１は、ストリームデータをストリーム処理部３３へ出力する。
信号入力部１２からアナログ放送の放送信号が入力されたエンコーダ３２は、入力された放送信号を、ＭＰＥＧ−２ＰＳ（Program Stream）又はＭＰＥＧ−２ＴＳ等のデジタルのストリームデータにエンコードする。次いで、エンコーダ３２は、ストリームデータをストリーム処理部３３へ出力する。
【００４３】
なお、録画装置１は、チューナ装置等の外部装置からストリームデータを受信するイーサネット（登録商標）等のデジタルインタフェースを更に備えていてもよい。このデジタルインタフェースは、ストリーム処理部３３に接続されており、受信したストリームデータをストリーム処理部３３へ出力する。
【００４４】
ストリーム処理部３３は、デジタルチューナ３１及び／又はエンコーダ３２から入力されたストリームデータに、所定のデータ処理を施す。このデータ処理は、例えばデジタル放送用のスクランブルを解除する処理である。以下では、ストリーム処理部３３で所定のデータ処理を施されたストリームデータを、番組データという。ストリーム処理部３３で生成される番組データは、使用者がリモコン５を操作して選択したチャンネルで放送される番組の内容を表わすものであり、デコーダ３５でデコードすることによって、番組の再生が可能となるものである。
【００４５】
番組の視聴を行なう場合、ストリーム処理部３３が生成した番組データは、デコーダ３５へ出力される。
番組の録画を行なう場合、ストリーム処理部３３が生成した番組データは、ハイブリッドドライブ装置２へ出力される。ハイブリッドドライブ装置２に入力された番組データは、記録部２１及びストレージ２２の両方、又はストレージ２２のみに入力される。なお、ハイブリッドドライブ装置２に入力された番組データが、記録部２１及びストレージ２２の何れか一方に入力される構成でもよい。
【００４６】
ストリーム処理部３３からデコーダ３５への番組データの出力と、ストリーム処理部３３からハイブリッドドライブ装置２への番組データの出力とは、両方実行されてもよく、何れか一方が実行されてもよい。また、デコーダ３５へ出力される番組データと、ハイブリッドドライブ装置２へ出力される番組データとは、同じであっても異なっていてもよい。
【００４７】
ストリーム処理部３３からの番組データの出力先は、ＣＰＵ３０が、リモコン５から送信された操作信号に応じて決定する。使用者が番組の視聴のみを所望している場合、番組データはデコーダ３５のみへ出力され、録画のみを所望している場合、ストレージ２２のみへ出力され、視聴と録画とを同時的に所望している場合、デコーダ３５及びストレージ２２の両方へ出力される。
【００４８】
記録部２１は、例えば光ディスクドライブを用いてなり、１個のトレイ２１０を備える。トレイ２１０には、ＤＶＤ又はＢＤ等の可搬性を有する記録ディスクＤが着脱可能に装着される。記録部２１は、自身に入力された記録データを、トレイ２１０に装着されている記録ディスクＤに記録する。
記録ディスクＤは、固有のディスクＩＤを有する。ディスクＩＤは、例えば記録ディスクＤの製造時に記録ディスクＤに記録される製造番号である。後述する図４に示す記録ディスクＤ１のディスクＩＤは「００１」であり、記録ディスクＤ２，Ｄ３，…夫々のディスクＩＤは「００２」，「００３」，…である。このような記録ディスクＤは、本発明における記録媒体として機能する。また、ディスクＩＤは、本発明における媒体識別情報として機能する。
【００４９】
記録部２１は、記録ディスクＤの種類、ディスクＩＤ、及び、記録ディスクＤに記録することが可能なデータ量を示す記録可能容量等のディスク情報を読み取り、読み取ったディスク情報を制御部２０へ出力する。更に、記録部２１は、記録ディスクＤに記録されている番組データを読み出して出力する。
記録部２１から出力された番組データは、デコーダ３５に入力される。
【００５０】
ストレージ２２は、フラッシュメモリ又はハードディスク等を用いてなる大容量記憶装置である。
ストレージ２２の記憶領域の一部は、ストレージ２２の記憶領域を管理するための各種データを記憶する管理部２４として用いられる領域である。ストレージ２２の記憶領域の他の一部は、番組データを記憶する記憶部２５として用いられる領域である（図４参照）。
ストレージ２２は、自身に入力された各種データを記憶する。また、ストレージ２２は、自身が記憶している各種データを読み出して出力する。ストレージ２２から出力された番組データは、デコーダ３５に入力される。
【００５１】
デコーダ３５は、番組データを映像信号及び音声信号にデコードしてから、映像処理部３６へ出力する。
映像信号及び音声信号が入力された映像処理部３６は、映像信号に、画素の補間又は色調整等の映像処理を施す。次いで、映像処理部３６は、映像信号及び音声信号を信号出力部１３へ出力する。
【００５２】
信号出力部１３は、入力された映像信号及び音声信号を、ＴＶ受像機４へ出力する。
ＴＶ受像機４に入力された映像信号及び音声信号が、記録ディスクＤ（又は記憶部２５）から読み出された番組データをデコードしたものである場合、ＴＶ受像機４では、記録ディスクＤ（又は記憶部２５）に録画された番組が再生される。
【００５３】
制御部２０は、図示しないＲＡＭを作業領域として用い、図示しないＲＯＭに記憶されている各種情報に従って、ハイブリッドドライブ装置２の各部の動作を直接的に制御する。また、制御部２０は、ハイブリッドドライブ装置２の各部の作動状態、又は記録部２１から入力されたディスク情報等を示す制御信号を、ＣＰＵ３０へ出力する。
【００５４】
揮発性メモリ３４及び不揮発性メモリ３７夫々は、読み書き可能なメモリである。不揮発性メモリ３７には、予約リスト３７１、ディスクリスト３７２、及び録画リスト３７３（図３、図５、及び図６参照）が記憶される。
ＣＰＵ３０は、揮発性メモリ３４を作業領域として用い、不揮発性メモリ３７に記憶されているコンピュータプログラム及び各種情報に従って、バックエンド部３の各部の動作を直接的に制御する。
【００５５】
また、ＣＰＵ３０は、ハイブリッドドライブ装置２の各部の動作を制御するための制御信号を、ハイブリッドドライブ装置２の制御部２０へ出力する。制御部２０は、自身に入力された制御信号に応じてハイブリッドドライブ装置２の各部の動作を制御する。即ち、ＣＰＵ３０は、ハイブリッドドライブ装置２の各部の動作を間接的に制御する。
以下では、ＣＰＵ３０がハイブリッドドライブ装置２に対する各種処理を実行する際の制御部２０の介在については説明を省略する。
【００５６】
なお、ＣＰＵ３０と制御部２０とが協働してハイブリッドドライブ装置２の各部の動作を制御する構成に限定されるものではない。例えば、ストレージ２２に対する各種データの入出力を、ＣＰＵ３０が制御部２０を介さず直接的に実行する構成でもよい。
【００５７】
受信部１４は、Ｂｌｕｅｔｏｏｔｈ規格のトランシーバである。受信部１４は、リモコン５が送信した操作信号を受信し、受信した操作信号を、ＣＰＵ３０へ出力する。
操作信号が入力されたＣＰＵ３０は、入力された操作信号に応じた各種処理を実行する。
時計部１５は、時刻、日付、及び曜日を計時する。
【００５８】
使用者は、将来的に放送される予定の番組を録画したい場合に、リモコン５を操作することによって、番組が放送されるチャンネルを選択し、更に、録画装置１に、録画開始時刻及び録画終了時刻を含む予約情報を与える（録画予約）。なお、録画予約の際に、ＥＰＧ（Electronic Program Guide）が利用可能であってもよい。
予約情報を受け付けた録画装置１は、録画開始時刻に達した時点で、番組の録画を開始し、録画終了時刻に達した時点で、番組の録画を終了する（予約録画）。
【００５９】
図３は、不揮発性メモリ３７が記憶している予約リスト３７１の一例を示す模式図である。
予約リスト３７１は、番組データの記録を予約するための予約情報の一覧である。不揮発性メモリ３７の予約リスト３７１は、本発明における予約記憶部として機能する。
予約リスト３７１には、使用者による録画予約が為された場合に、予約情報が書き込まれる。
【００６０】
予約情報には、番組のタイトル（図中「タイトル」）、番組が放送されるチャンネル（図中「チャンネル」）、番組が放送される日付又は曜日（図中「放送日」）、及び、放送される時間帯（図中「時間帯」）が含まれている。番組が放送される時間帯の最初の時刻は録画開始時刻であり、最後の時刻は録画終了時刻である。
【００６１】
ところで、番組のタイトルの全部又は一部は、番組を識別する番組識別情報として利用することが可能である。例えば、番組がメインタイトル及びサブタイトルを有している場合、番組のメインタイトルが番組識別情報として利用される。本実施の形態では、番組識別情報としてタイトルを用いる場合は、タイトルが部分一致するか否かが判定される。
番組が放送されるチャンネル、放送される時間帯、及び放送される曜日（以下では、番組の放送日時という）もまた、番組を識別する番組識別情報として利用することが可能である。
以下では、番組識別情報を、単に識別情報という。
【００６２】
使用者は、連続ドラマ番組『ＨＥＲＯ』の予約録画を所望している。この番組は、チャンネル１５で、毎月２日に放送されるが、放送される時間帯は一定していない。
使用者は、連続ドラマ番組『ＨＥＲＯ』を、記録ディスクＤ１にまとめて録画したいと所望している。
【００６３】
連続ドラマ番組『ＨＥＲＯ』を識別する識別情報としては、タイトル「『ＨＥＲＯ』」が用いられる。
このため、タイトル『ＨＥＲＯ第２話』の番組、及びタイトル『ＨＥＲＯ第３話』の番組夫々は、連続ドラマ番組『ＨＥＲＯ』に類する番組であると判定される。一方、タイトル『ＣＡＴＣＨ』の番組、及びタイトル『ＣＡＴＣＨ  ＭＥ』の番組は、夫々、連続ドラマ番組『ＨＥＲＯ』に類する番組ではないと判定される。
【００６４】
予約リスト３７１には、連続ドラマ番組『ＨＥＲＯ』の第２話のタイトルを意味する「ＨＥＲＯ第２話」、チャンネル１５を意味する「ＣＨ：１５」、２月２日月曜日を意味する「２／２（月）」、及び２時から３時までを意味する「２：００〜３：００」という予約情報が記憶されている。
また、予約リスト３７１には、連続ドラマ番組『ＨＥＲＯ』の第３話のタイトルを意味する「ＨＥＲＯ第３話」、チャンネル１５を意味する「ＣＨ：１５」、３月２日月曜日を意味する「３／２（月）」、及び４時から５時までを意味する「４：００〜５：００」という予約情報が記憶されている。
【００６５】
また、使用者は、連続ドラマ番組『ＣＡＴＣＨ』の予約録画を所望している。この番組は、チャンネル１で、毎週金曜日の１８時から１９時まで放送される。
使用者は、連続ドラマ番組『ＣＡＴＣＨ』を、記録ディスクＤ２にまとめて録画したいと所望している。
予約リスト３７１には、連続ドラマ番組『ＣＡＴＣＨ』のタイトルを意味する「ＣＡＴＣＨ」、チャンネル１を意味する「ＣＨ：１」、毎週金曜日を意味する「金曜日」、及び１８時から１９時までを意味する「１８：００〜１９：００」という予約情報が記憶されている。
【００６６】
更に、使用者は、ニュース番組『ＣＡＴＣＨ  ＭＥ』の予約録画を所望している。この番組は、チャンネル８で、毎週日曜日から土曜日まで、１９時から２０時まで放送される。
使用者は、ニュース番組『ＣＡＴＣＨ  ＭＥ』を、記録ディスクＤ３にまとめて録画したいと所望している。
予約リスト３７１には、ニュース番組『ＣＡＴＣＨ  ＭＥ』のタイトルを意味する『ＣＡＴＣＨ  ＭＥ』、チャンネル８を意味する「ＣＨ８」、毎週日曜日から土曜日までを意味する「毎日」、及び１９時から２０時までを意味する「１９：００〜２０：００」という予約情報が記憶されている。
【００６７】
連続ドラマ番組『ＣＡＴＣＨ』とニュース番組『ＣＡＴＣＨ  ＭＥ』とは、タイトルが部分的に一致している。仮に、連続ドラマ番組『ＣＡＴＣＨ』を識別する識別情報として、タイトル『ＣＡＴＣＨ』を用いた場合、タイトル『ＣＡＴＣＨ第１話』の番組、及びタイトル『ＣＡＴＣＨ  ＭＥ』の番組夫々が、連続ドラマ番組『ＣＡＴＣＨ  ＭＥ』に類する番組であると判定される。つまり、連続ドラマ番組『ＣＡＴＣＨ』とニュース番組『ＣＡＴＣＨ  ＭＥ』とが混同されてしまう。ところが、タイトルが完全一致するか否かを判定すると、例えばタイトル『ＣＡＴＣＨ第１話』の番組が、連続ドラマ番組『ＣＡＴＣＨ』に類する番組ではないと判定されてしまう。
【００６８】
そこで、連続ドラマ番組『ＣＡＴＣＨ』及びニュース番組『ＣＡＴＣＨ  ＭＥ』夫々を識別する識別情報としては、番組の放送日時が用いられる。連続ドラマ番組『ＣＡＴＣＨ』の識別情報は、チャンネル１で、毎週金曜日の１８時から１９時の間に放送されることを示す「ＣＨ：１，１８：００〜１９：００，金曜日」である。一方、ニュース番組『ＣＡＴＣＨ  ＭＥ』の識別情報は、チャンネル８で、毎日１９時から２０時の間に放送されることを示す「ＣＨ８，１９：００〜２０：００，毎日」である。
【００６９】
予約情報に含まれる番組のタイトルは、例えば、『ＨＥＲＯ第２話』のようにメインタイトル及びサブタイトルを両方含むものであってもよく、『ＣＡＴＣＨ』のようにメインタイトルだけのものであってもよい。
本実施の形態では、識別情報として何を用いるかを、使用者がリモコン５を用いて設定する場合を例示するが、録画装置１が自動的に決定する構成でもよい。
【００７０】
次に、録画装置１の特徴を説明する。
録画装置１では、例えば連続ドラマ番組『ＨＥＲＯ』が放送される場合に記録部２１に記録ディスクＤ１が装着されているならば、記録ディスクＤ１及び記憶部２５（具体的には後述する第１領域２５１）夫々に連続ドラマ番組『ＨＥＲＯ』が予約録画される。
一方、記録ディスクＤ１が装着されていない場合、即ち、記録部２１に何も装着されていないか、記録ディスクＤ１以外の記録ディスクＤが装着されている場合、連続ドラマ番組『ＨＥＲＯ』は記憶部２５のみに予約録画される。
【００７１】
そして、連続ドラマ番組『ＨＥＲＯ』が記憶部２５に予約録画された後で、記録部２１に記録ディスクＤ１が装着されたときに、記憶部２５から記録ディスクＤ１に連続ドラマ番組『ＨＥＲＯ』がダビングされる。
【００７２】
具体例として、図３に示すような予約情報が予約リスト３７１に記憶されている場合、２月１日（日曜日）の午前中に、使用者が、記録部２１に記録ディスクＤ１を装着したとする。
すると、２月１日（日曜日）の１９時から２０時までの間に、当日分のニュース番組『ＣＡＴＣＨ  ＭＥ』が記憶部２５に録画される。また、２月２日（月曜日）の２時から３時までの間に、記録ディスクＤ１及び記憶部２５夫々に連続ドラマ番組『ＨＥＲＯ』の第２話が録画される。
【００７３】
次に、使用者は、連続ドラマ番組『ＨＥＲＯ』の第２話の録画終了直後、記録部２１に装着されている記録ディスクＤ１を記録ディスクＤ２に取り替えたとする。
すると、２月２日（月曜日）から２月６日（金曜日）までの各日の１９時から２０時までの間に、５日分のニュース番組『ＣＡＴＣＨ  ＭＥ』が記憶部２５に録画される。また、２月６日（金曜日）の１８時から１９時までの間に、記録ディスクＤ２及び記憶部２５夫々に連続ドラマ番組『ＣＡＴＣＨ』の第５話が録画される。
【００７４】
最後に、使用者は、２月７日（土曜日）の午前中に、記録ディスクＤ２を記録ディスクＤ３に取り替えたとする。
すると、２月１日（日曜日）から２月６日（金曜日）まで６日分のニュース番組『ＣＡＴＣＨ  ＭＥ』が、記憶部２５から記録ディスクＤ３にダビングされる。
更に、２月７日（土曜日）の１９時から２０時までの間に、ニュース番組『ＣＡＴＣＨ  ＭＥ』が記録ディスクＤ３及び記憶部２５夫々に録画される。
【００７５】
この例では、２月６日（金曜日）には、記録ディスクＤ２に録画すべき連続ドラマ番組『ＣＡＴＣＨ』と記録ディスクＤ３に録画すべきニュース番組『ＣＡＴＣＨ  ＭＥ』とが連続的に放送される。しかしながら、各番組の放送開始直前までに、使用者が、記録部２１に装着すべき記録ディスクＤ２と記録ディスクＤ３とを適宜に取り替える必要はない。
【００７６】
また、使用者が記録部２１に記録ディスクＤ３を装着すれば、録画装置１が自動的にニュース番組『ＣＡＴＣＨ  ＭＥ』をダビングする。このとき、使用者が、記憶部２５から記録ディスクＤ３へのダビングを意識する必要はない。そればかりか、使用者がストレージ２２の存在を知らなくても全く問題はない。即ち、録画装置１は、操作が簡便である。この結果、録画装置１は、使用者の利便性が向上されている。
【００７７】
図４は、ストレージ２２の内部構成を示す模式図である。
ストレージ２２は、録画装置１の工場出荷時に、管理部２４と記憶部２５とに論理的に分割されている。更に、記憶部２５は、番組データ記憶用のＮ個の記憶領域（以下、録画領域ともいう）と、用途未定の１個の記憶領域（以下、予備領域ともいう）２５０とに論理的に分割されている。つまり、記憶部２５は、本発明における番組記憶部として機能する。
【００７８】
記憶部２５に含まれている録画領域の個数Ｎを、以下ではエントリ数Ｎという。エントリ数ＮはＮ≧２の自然数である。また、エントリ数Ｎは、録画装置１に登録することが可能な記録ディスクＤ，Ｄ，…の枚数に等しい。
エントリ数Ｎは予め録画装置１に設定されていてもよく、使用者がリモコン５を操作してエントリ数Ｎを設定してもよい。ただし、エントリ数Ｎの上限値は固定値であり、予め不揮発性メモリ３７に記憶してある。
【００７９】
記憶部２５は、エントリ数Ｎが設定されたときに、｛Ｎ＋１｝個の記憶領域に分割される。このとき、｛Ｎ＋１｝個の記憶領域夫々を管理するための管理データが管理部２４に記憶される。管理データは、例えば、記憶部２５の各記憶領域の範囲を特定するためのアドレス、及び、記憶部２５の各記憶領域を識別するためのラベル等である。
以下では、エントリ数Ｎが“５”である場合を例示する。即ち、記憶部２５は、第１の録画領域（以下、第１領域という）２５１、第２領域２５２、第３領域２５３、第４領域２５４、及び第５領域２５５と、予備領域２５０とを含む。
【００８０】
録画装置１の工場出荷時点では、録画装置１には、記録ディスクＤが１枚も登録されていない。
使用者が所有している記録ディスクＤ１〜Ｄ５を録画装置１に登録するためには、記録ディスクＤ１〜Ｄ５夫々を、第１領域２５１〜第５領域２５５の何れかに関連付ける必要がある。
【００８１】
記録ディスクＤ１〜Ｄ４が、録画装置１に登録されている場合、記録ディスクＤ１〜Ｄ４夫々には、第１領域２５１〜第４領域２５４夫々が一対一対応で関連付けられている。
記録ディスクＤ１が記録部２１に装着されていない場合、記録ディスクＤ１に記録すべき番組データは、ストレージ２２に入力されて、第１領域２５１に記憶される。
【００８２】
同様に、記録ディスクＤ２が記録部２１に装着されていない場合、記録ディスクＤ２に記録すべき番組データは、ストレージ２２に入力されて、第２領域２５２に記憶される。記録ディスクＤ３〜Ｄ４夫々についても同様である。
記録ディスクＤ５は、まだ録画装置１に登録されていない。記録ディスクＤ５が登録されると、記録ディスクＤ５と第５領域２５５とが関連付けられる。
【００８３】
予備領域２５０は、各種データを記憶する。また、記録ディスクＤ１〜Ｄ５以外の新たな記録ディスクＤを登録する場合に、予備領域２５０の一部が、第６の記録領域として用いられることがある。このとき、エントリ数Ｎは“１”インクリメントされる。
【００８４】
なお、記憶部２５が予め｛Ｎ＋１｝個の記憶領域に分割される構成に限定されるものではない。例えば、記憶部２５には、最初は予備領域２５０のみが設けられており、記録ディスクＤが登録される都度、第１領域２５１、第２領域２５２、…が順に設けられる構成でもよい。
【００８５】
図５は、不揮発性メモリ３７が記憶しているディスクリスト３７２の一例を示す模式図である。
ディスクリスト３７２には、一の記録ディスクＤのディスクＩＤ（図中「ディスクＩＤ」）と、記憶部２５の一の録画領域のラベル（図中「録画領域」）とが関連付けて記憶されている。不揮発性メモリ３７のディスクリスト３７２は、本発明における媒体記憶部として機能する。
【００８６】
例えば、記録ディスクＤ１のディスクＩＤ「００１」に関連付けて、第１領域２５１のラベル「第１領域」がディスクリスト３７２に記憶されている。
ディスクリスト３７２において、録画領域のラベル（例えば第５領域２５５のラベル「第５領域」）に関連付けて記録ディスクＤのディスクＩＤが記憶されていない場合、この録画領域に関連付けられている記録ディスクＤは存在しないことがわかる。
【００８７】
ところで、記録部２１に記録ディスクＤが装着されている場合、記録ディスクＤを識別するために、装着されている記録ディスクＤのディスクＩＤを不揮発性メモリ３７に記憶させておく必要がある。このために、本実施の形態ではディスクリスト３７２の「装着状況」の欄に、そのディスクＩＤを有する記録ディスクＤが記録部２１に装着されているか否かを示す情報が記憶される。
【００８８】
図５には、記録ディスクＤ１が記録部２１に装着されている場合が例示されている。従って、ディスクリスト３７２には、記録ディスクＤ１のディスクＩＤ「００１」に関連付けて、装着されていることを示す装着中情報「○」が記憶されている。また、ディスクリスト３７２には、記録ディスクＤ２〜Ｄ４のディスクＩＤ「００２」〜「００４」夫々に関連付けて、装着されていないことを示す未装着情報「×」が記憶されている。
【００８９】
ディスクリスト３７２においては、エントリ数Ｎが設定され、記憶部２５が｛Ｎ＋１｝個の記憶領域に分割された場合に、録画領域の欄に、各録画領域のラベルが書き込まれる。更に、ディスクリスト３７２においては、記録ディスクＤが登録された場合に、ディスクＩＤの欄にディスクＩＤが書き込まれ、装着状況の欄に、装着中情報又は未装着情報が書き込まれる。
【００９０】
図６は、不揮発性メモリ３７が記憶している録画リスト３７３の一例を示す模式図である。
録画リスト３７３は、記録ディスクＤのディスクＩＤと、このディスクＩＤを有する記録ディスクＤに録画されている番組を示す情報（図中「録画番組情報」）とを関連付けて記憶するものである。
【００９１】
ただし、録画された番組の中には、記憶部２５の録画領域にのみ録画されて、まだ記録ディスクＤにダビングされていないものもある。
このため、録画リスト３７３には、番組が既に記録ディスクＤに録画されているか否かを示す情報（図中「録画状況」）が記憶されている。図６に示す録画リスト３７３では、一の録画番組情報が示す番組が、既に記録ディスクＤに録画されている場合、この録画番組情報に関連付けて、録画済情報「○」が記憶されている。また、一の録画番組情報が示す番組が、まだ記録ディスクＤには録画されていない場合、この録画番組情報に関連付けて、未録画情報「×」が記憶されている。
【００９２】
録画番組情報には、番組のタイトルと、番組の放送日時（チャンネル、放送日、及び時間帯）とが含まれている。一の録画番組情報によって、記憶部２５の録画領域に記憶されている一の番組データ（又は記録ディスクＤに記録されている一の番組データ）が特定される。
ところで、録画番組情報が示す内容は、録画されている番組を使用者が確実に区別することができるようなものであることが望ましい。
【００９３】
このため、例えば連続ドラマ番組『ＣＡＴＣＨ』の場合、予約リスト３７１では、メインタイトル「『ＣＡＴＣＨ』」のみが記憶されているが、録画リスト３７３では、第１話のメインタイトル及びサブタイトル「『ＣＡＴＣＨ第１話』」が記憶されている。また、ニュース番組『ＣＡＴＣＨ  ＭＥ』の場合、予約リスト３７１では、タイトルに関連付けて放送日「毎日」が記憶されているが、録画リスト３７３では、タイトルに関連付けて放送日「１月３１日（土曜日）」が記憶されている。
【００９４】
一のディスクＩＤに基づいてディスクリスト３７２を参照すれば、このディスクＩＤに関連付けられている録画領域のラベル、即ちこのディスクＩＤを有する記録ディスクＤに関連付けられている録画領域がわかる。
【００９５】
図６には、２月３日（火曜日）の午前中の時点での録画リスト３７３が例示されている。ディスクＩＤ「００３」の欄を参照すればわかるように、ニュース番組『ＣＡＴＣＨ  ＭＥ』の１月３１日放送分は、記録ディスクＤ３及び第３領域２５３の両方に録画されている。しかしながら、ニュース番組『ＣＡＴＣＨ  ＭＥ』の２月１日放送分及び２月２日放送分は、第３領域２５３には録画されているが、記録ディスクＤ３には録画されていない。従って、ニュース番組『ＣＡＴＣＨ  ＭＥ』の２月１日放送分及び２月２日放送分は、記録部２１に記録ディスクＤ３が装着された場合に、第３領域２５３から記録ディスクＤ３にダビングする必要がある。
【００９６】
更に、録画リスト３７３には、各録画番組情報に関連付けて、この録画番組情報が示す番組の識別情報が記憶されている。各録画番組情報はディスクＩＤに関連付けられているため、録画リスト３７３には、ディスクＩＤと、このディスクＩＤを有する記録ディスクＤに既に記録されている番組データに係る番組の識別情報とが関連付けて記憶されていることになる。つまり、不揮発性メモリ３７の録画リスト３７３は、本発明における識別記憶部として機能する。
【００９７】
例えば、録画リスト３７３には、タイトル「ＨＥＲＯ第１話」を含む録画番組情報、及びタイトル「ＨＥＲＯ第２話」を含む録画番組情報夫々に関連付けて、識別情報「『ＨＥＲＯ』」が記憶されている。識別情報「『ＨＥＲＯ』」は番組のタイトル（更に詳細にはメインタイトル）を用いてなる。識別情報「『ＨＥＲＯ』」によって、連続ドラマ番組『ＨＥＲＯ』第１話、第２話、…、及び最終話夫々が特定される。
【００９８】
同様に、録画リスト３７３には、タイトル「ＣＡＴＣＨ」を含む録画番組情報に関連付けて、識別情報「ＣＨ：１，１８：００〜１９：００，金曜日」が記憶されている。識別情報「ＣＨ：１，１８：００〜１９：００，金曜日」は番組の放送日時を用いてなる。識別情報「ＣＨ：１，１８：００〜１９：００，金曜日」によって、チャンネル１で、２月６日（金曜日）、２月１３日（金曜日）、…夫々の１８時から１９時までの間に放送される番組が特定される。
【００９９】
また、録画リスト３７３には、タイトル「ＣＡＴＣＨ  ＭＥ」を含む録画番組情報に関連付けて、識別情報「ＣＨ：８，１９：００〜２０：００，毎日」が記憶されている。識別情報「ＣＨ：８，１９：００〜２０：００，毎日」は番組の放送日時を用いてなる。識別情報「ＣＨ：８，１９：００〜２０：００，毎日」によって、チャンネル８で、１９時から２０時までの間に放送される番組が特定される。
【０１００】
ディスクＩＤ「００４」を有する記録ディスクＤ４には、まだ何も録画されていない。従って、ディスクＩＤ「００４」の欄には、録画番組情報、識別情報、及び録画状況は記憶されていない。
【０１０１】
録画リスト３７３においては、記録ディスクＤが登録された場合に、ディスクＩＤの欄にディスクＩＤが書き込まれる。
更に、録画リスト３７３においては、記録ディスクＤ及び記憶部２５の録画領域に同時的に番組が録画された場合に、録画番組情報、識別情報、及び録画済情報が書き込まれる。
更にまた、録画リスト３７３においては、記憶部２５の録画領域のみに番組が録画された場合に、録画番組情報、識別情報、及び未録画情報が書き込まれ、記録ディスクＤに番組がダビングされたときに、未録画情報が録画済情報に書き換えられる。
【０１０２】
録画リスト３７３に相当するリストは、記録ディスクＤにも記録される。ただし、記録ディスクＤには、録画リスト３７３に含まれる情報の内、この記録ディスクＤが有するディスクＩＤ及び録画済情報の両方に関連付けられている録画番組情報及び識別情報が記録される。記録ディスクＤが有するディスクＩＤと、このディスクＩＤ以外のディスクＩＤに関連付けられている情報と、録画状況とは、記録ディスクＤに記録させる必要はない。また、未録画情報に関連付けられている録画番組情報及び識別情報は、番組のダビング時に記録ディスクＤに記録される。
【０１０３】
図７は、ＣＰＵ３０が実行する予約受付処理の手順を示すフローチャートである。予約受付処理は、記録部２１に記録ディスクＤが装着されているか否かに関わらず、実行される。
ＣＰＵ３０は、受信部１４を介して受信した操作信号に基づいて、使用者による録画予約が為された否かを判定し（Ｓ１１）、録画予約が為されていない場合（Ｓ１１でＮＯ）、Ｓ１１の処理を繰り返し実行する。
録画予約が為された場合（Ｓ１１でＹＥＳ）、ＣＰＵ３０は、予約情報を予約リスト３７１に記憶させ（Ｓ１２）、処理をＳ１１へ戻す。
【０１０４】
図８〜図１０は、ＣＰＵ３０が実行する予約録画処理の手順を示すフローチャートである。予約録画処理は、記録部２１に記録ディスクＤが装着されているか否かに関わらず、実行される。
図８に示すように、ＣＰＵ３０は、予約リスト３７１に記憶されている予約情報を、予約情報に含まれる番組の放送日時に基づいて、昇順にソートすることによって、次に予約録画を開始すべき番組の予約情報を選択する（Ｓ３１）。
【０１０５】
また、ＣＰＵ３０は、時計部１５の計時結果、即ち現在日時を取得し（Ｓ３２）、Ｓ３１で選択した予約情報が示す番組（即ち予約録画すべき番組）の放送日時の録画開始時刻が近いか否かを判定する（Ｓ３３）。Ｓ３３におけるＣＰＵ３０は、Ｓ３３で取得した計時結果が、予約録画すべき番組の放送日時の録画開始時刻の例えば５分前を過ぎているか否かを判定する。Ｓ３１で、『ＨＥＲＯ第２話』というタイトルを有する番組の予約情報を選択した場合、Ｓ３３におけるＣＰＵ３０は、２月２日月曜日１時５５分を過ぎているか否かを判定する。
【０１０６】
ＣＰＵ３０は、次に予約録画を開始すべき番組の放送日時の録画開始時刻がまだ近づいていない場合（Ｓ３３でＮＯ）、処理をＳ３１へ戻す。
【０１０７】
一方、次に予約録画を開始すべき番組の放送日時の録画開始時刻が近い場合（Ｓ３３でＹＥＳ）、ＣＰＵ３０は、Ｓ３１で選択した予約情報と、録画リスト３７３に記憶してある識別情報とを比較することによって、Ｓ３１で選択した予約情報が示す番組を特定する識別情報を読み出す（Ｓ３４）。
【０１０８】
Ｓ３４におけるＣＰＵ３０は、例えば番組のタイトルを用いてなる識別情報「『ＨＥＲＯ』」が、予約情報に含まれている番組のタイトルと部分一致するか否かを判定し、一致する場合は、この識別情報を読み出し、全く一致しない場合は、他の識別情報と予約情報とを比較する。
予約情報に含まれているタイトルが『ＨＥＲＯ第２話』であれば、Ｓ３１で選択した予約情報が示す番組を特定する識別情報は「『ＨＥＲＯ』」である。
【０１０９】
又は、ＣＰＵ３０は、例えば番組の放送日時を用いてなる識別情報「ＣＨ：１，１８：００〜１９：００，金曜日」が、予約情報に含まれている番組の放送日時と一致するか否かを判定し、一致する場合は、この識別情報を読み出し、全く一致しない場合は、他の識別情報と予約情報とを比較する。
予約情報に含まれている放送日時が「ＣＨ：１，１８：００〜１９：００，金曜日」であるか、又は、「ＣＨ：１，１８：００〜１９：００，２月６日（金曜日）」であれば、Ｓ３１で選択した予約情報が示す番組を特定する識別情報は「ＣＨ：１，１８：００〜１９：００，金曜日」である。
【０１１０】
識別情報「ＣＨ８，１９：００〜２０：００，毎日」と予約情報とを比較する場合は、ＣＰＵ３０は、予約情報に含まれている放送日時の内、チャンネル及び時間帯が識別情報のチャンネル及び時間帯と一致するか否かを判定すればよい。何故ならば識別情報に含まれる「毎日」は何れの曜日とも一致するからである。
Ｓ３４の処理終了後、ＣＰＵ３０は、Ｓ３４で読み出した識別情報に関連付けられているディスクＩＤを、録画リスト３７３から読み出す（Ｓ３５）。
【０１１１】
更に、ＣＰＵ３０は、Ｓ３５で読み出したディスクＩＤに基づいて、ディスクリスト３７２を参照することによって、Ｓ３５で読み出したディスクＩＤに関連付けられている録画領域のラベルを読み出す（Ｓ３６）。
次いで、ＣＰＵ３０は、Ｓ３５で読み出したディスクＩＤに基づいて、ディスクリスト３７２を参照することによって、Ｓ３５で読み出したディスクＩＤを有する記録ディスクＤが記録部２１に装着されているか否かを判定する（Ｓ３７）。
【０１１２】
Ｓ３５で読み出したディスクＩＤを有する記録ディスクＤが記録部２１に装着されている場合（Ｓ３７でＹＥＳ）、図９に示すように、ＣＰＵ３０は、Ｓ３１で選択した予約情報が示す番組、即ち予約録画すべき番組の放送日時の録画開始時刻に達したか否かを判定する（Ｓ４１）。
予約録画すべき番組の放送日時の録画開始時刻に達していない場合（Ｓ４１でＮＯ）、ＣＰＵ３０は、Ｓ４１の処理を繰り返し実行する。
【０１１３】
予約録画すべき番組の放送日時の録画開始時刻に達した場合（Ｓ４１でＹＥＳ）、ＣＰＵ３０は、例えばデジタルチューナ３１を制御することによって、Ｓ３１で選択した予約情報に含まれているチャンネルの放送信号が変換されてなるストリームデータをストリーム処理部３３に入力させる（Ｓ４２）。このとき、ストリーム処理部３３は、録画予約されているチャンネルで放送されている番組の番組データを生成する。
【０１１４】
次いで、ＣＰＵ３０は、ストリーム処理部３３で生成された番組データを、記録部２１及びストレージ２２の両方に入力させる（Ｓ４３）。Ｓ４３の処理が実行されることによって、記録部２１では、予約録画すべき番組の番組データが、記録部２１に装着されている記録ディスクＤに記録される。つまり、Ｓ４３におけるＣＰＵ３０及び記録部２１は、本発明における番組記録手段として機能する。また、Ｓ４３の処理が実行されることによって、記憶部２５では、予約録画すべき番組の番組データが、Ｓ３６で読み出したラベルによって特定される録画領域に記憶される。
【０１１５】
更に、ＣＰＵ３０は、予約録画すべき番組の放送日時の録画終了時刻に達したか否かを判定し（Ｓ４４）、録画終了時刻に達していない場合は（Ｓ４４でＮＯ）、Ｓ４３へ処理を戻して、記録部２１及びストレージ２２夫々に対する番組データの入力を継続する。
録画終了時刻に達した場合（Ｓ４４でＹＥＳ）、ＣＰＵ３０は、記録部２１及びストレージ２２夫々に対する番組データの入力を終了する（Ｓ４５）。
【０１１６】
次いで、ＣＰＵ３０は、Ｓ４３の処理の結果として記録ディスクＤ及び記憶部２５の録画領域に録画された番組（即ち今回予約録画した番組）を示す録画番組情報と、この番組の識別情報とを、Ｓ３５で読み出したディスクＩＤに関連付けて、録画リスト３７３に記憶させる（Ｓ４６）。更に、ＣＰＵ３０は、Ｓ４６で録画リスト３７３に記憶させた録画番組情報に関連付けて、録画済情報を記憶させる（Ｓ４７）。
【０１１７】
Ｓ４７の処理終了後、ＣＰＵ３０は、Ｓ３１で選択した予約情報を削除するか否かを判定する（Ｓ４８）。
ここで、予約情報が示す番組が今後は放送されない場合、当該予約情報は削除すべき予約情報である。例えば、予約リスト３７１において、放送日「２月２日（月曜日）」を含む予約情報が示す番組は二度と放送されないため、この予約情報は削除すべきである。一方、予約リスト３７１において、放送日「金曜日」又は「毎日」を含む予約情報が示す番組は再び放送されるため、この予約情報は削除すべきではない。
【０１１８】
予約情報を削除すると判定した場合（Ｓ４８でＹＥＳ）、ＣＰＵ３０は、Ｓ３１で選択した予約情報を予約リスト３７１から削除し（Ｓ４９）、処理をＳ３１へ戻す。一方、予約情報を削除しないと判定した場合（Ｓ４８でＮＯ）、ＣＰＵ３０は、Ｓ４９の処理を実行せずに、処理をＳ３１へ戻す。
【０１１９】
図８に示すように、Ｓ３５で読み出したディスクＩＤを有する記録ディスクＤが記録部２１に装着されていない場合（Ｓ３７でＮＯ）、図１０に示すように、ＣＰＵ３０は、Ｓ３１で選択した予約情報が示す番組、即ち予約録画すべき番組の放送日時の録画開始時刻に達したか否かを判定する（Ｓ６１）。
予約録画すべき番組の放送日時の録画開始時刻に達していない場合（Ｓ６１でＮＯ）、ＣＰＵ３０は、Ｓ６１の処理を繰り返し実行する。
【０１２０】
予約録画すべき番組の放送日時の録画開始時刻に達した場合（Ｓ６１でＹＥＳ）、ＣＰＵ３０は、例えばデジタルチューナ３１を制御することによって、Ｓ３１で選択した予約情報に含まれているチャンネルの放送信号が変換されてなるストリームデータをストリーム処理部３３に入力させる（Ｓ６２）。このとき、ストリーム処理部３３は、録画予約されているチャンネルで放送されている番組の番組データを生成する。
【０１２１】
次いで、ＣＰＵ３０は、ストリーム処理部３３で生成された番組データを、ストレージ２２のみに入力させる（Ｓ６３）。Ｓ６３の処理が実行されることによって、記憶部２５では、予約録画すべき番組の番組データが、Ｓ３６で読み出したラベルによって特定される録画領域に記憶される。つまり、Ｓ６３におけるＣＰＵ３０は、本発明における記憶制御手段として機能する。
【０１２２】
Ｓ６３の処理では、ストリーム処理部３３で生成された番組データを、記録部２１に入力させることはない。この結果、記録部２１に装着されている記録ディスクＤ（即ち、ストリーム処理部３３で生成された番組データを記録すべきではない記録ディスクＤ）に、誤って番組データが記録されてしまう不都合が防止される。
【０１２３】
更に、ＣＰＵ３０は、予約録画すべき番組の放送日時の録画終了時刻に達したか否かを判定し（Ｓ６４）、録画終了時刻に達していない場合は（Ｓ６４でＮＯ）、Ｓ６３へ処理を戻して、ストレージ２２に対する番組データの入力を継続する。
録画終了時刻に達した場合（Ｓ６４でＹＥＳ）、ＣＰＵ３０は、ストレージ２２に対する番組データの入力を終了する（Ｓ６５）。
【０１２４】
次いで、ＣＰＵ３０は、Ｓ６３の処理の結果として記憶部２５の録画領域に録画された番組（即ち今回予約録画した番組）を示す録画番組情報と、この番組の識別情報とを、Ｓ３５で読み出したディスクＩＤに関連付けて、録画リスト３７３に記憶させる（Ｓ６６）。更に、ＣＰＵ３０は、Ｓ６６で録画リスト３７３に記憶させた録画番組情報に関連付けて、未録画情報を記憶させる（Ｓ６７）。
【０１２５】
Ｓ６７の処理終了後、ＣＰＵ３０は、Ｓ３１で選択した予約情報を削除するか否かを判定する（Ｓ６８）。
予約情報を削除すると判定した場合（Ｓ６８でＹＥＳ）、ＣＰＵ３０は、Ｓ３１で選択した予約情報を予約リスト３７１から削除し（Ｓ６９）、処理をＳ３１へ戻す。一方、予約情報を削除しないと判定した場合（Ｓ６８でＮＯ）、ＣＰＵ３０は、Ｓ６９の処理を実行せずに、処理をＳ３１へ戻す。
【０１２６】
次に、記録部２１に対して記録ディスクＤを着脱する場合について説明する。
番組の録画を所望する使用者は、何も装着されていない記録部２１に、番組を予約録画すべき所望の記録ディスクＤを装着する。
制御部２０は記録部２１の動作を常に監視しており、記録部２１に記録ディスクＤが装着された場合、記録ディスクＤが装着されたことを示す制御信号をＣＰＵ３０へ出力する。
【０１２７】
記録ディスクＤが装着された記録部２１は、装着された記録ディスクＤを読み取ることによって、記録ディスクＤの種類を検知し、更に、記録ディスクＤのディスクＩＤを検知する。
記録部２１による検知結果は、制御部２０に与えられ、制御部２０は、与えられた検知結果を示す制御信号を、ＣＰＵ３０へ出力する。
ところで、記録ディスクＤの種類の検知結果が、記録ディスクＤが初期化を必要とする種類であることを示している場合、制御部２０は、記録部２１を制御して、記録ディスクＤを初期化する。
【０１２８】
使用者は、まだ録画装置１に登録されておらず、且つ、再生専用ではない（即ち番組の録画が可能な）記録ディスクＤを記録部２１に装着した場合、装着した記録ディスクＤを録画装置１に登録するか否かを選択し、登録する場合は、リモコン５を用いて、記録ディスクＤの登録命令を録画装置１に与える。
【０１２９】
図１１及び図１２は、ＣＰＵ３０が実行するディスク着脱処理の手順を示すフローチャートである。
図１１に示すように、ＣＰＵ３０は、記録ディスクＤが装着されたことを示す制御信号が入力されたか否かを判定することによって、記録部２１に記録ディスクＤが装着された否かを判定する（Ｓ８１）。
【０１３０】
記録部２１に記録ディスクＤが装着されていない場合（Ｓ８１でＮＯ）、ＣＰＵ３０は、Ｓ８１の処理を繰り返し実行する。
記録部２１に記録ディスクＤが装着された場合（Ｓ８１でＹＥＳ）、ＣＰＵ３０は、記録ディスクＤの種類及びディスクＩＤを示す制御信号が入力されたか否かを判定し（Ｓ８２）、入力されていないときは（Ｓ８２でＮＯ）、Ｓ８２の処理を繰り返し実行する。
【０１３１】
記録ディスクＤの種類及びディスクＩＤを示す制御信号が入力された場合（Ｓ８２でＹＥＳ）、ＣＰＵ３０は、入力された記録ディスクＤの種類が、再生専用であるか否かを判定する（Ｓ８３）。
入力された記録ディスクＤの種類が、再生専用である場合（Ｓ８３でＹＥＳ）、ＣＰＵ３０は、記録部２１に装着されている記録ディスクＤに対して、未登録の記録ディスクＤとしてアクセスし（Ｓ８４）、処理をＳ８５へ移す。
【０１３２】
記録ディスクＤの取り出し又は取り替えを所望する使用者は、リモコン５を操作するか、又は録画装置１に配設されている図示しない排出ボタンを操作することによって、記録部２１から記録ディスクＤを排出させる。
記録部２１から記録ディスクＤが排出された場合、制御部２０は、記録ディスクＤが排出されたことを示す制御信号をＣＰＵ３０へ出力する。
【０１３３】
このため、ＣＰＵ３０は、記録ディスクＤが排出されたことを示す制御信号が入力されたか否かを判定することによって、記録部２１から記録ディスクＤが排出された否かを判定する（Ｓ８５）。
記録部２１から記録ディスクＤが排出されていない場合（Ｓ８５でＮＯ）、ＣＰＵ３０は、処理をＳ８４へ戻す。
記録部２１から記録ディスクＤが排出された場合（Ｓ８５でＹＥＳ）、ＣＰＵ３０は、処理をＳ８１へ戻す。
【０１３４】
入力された記録ディスクＤの種類が、再生専用ではない場合（Ｓ８３でＮＯ）、図１２に示すように、ＣＰＵ３０は、記録部２１に装着されている記録ディスクＤが登録済みであるか否かを判定する（Ｓ９１）。具体的には、Ｓ９１におけるＣＰＵ３０は、Ｓ８２で入力されたディスクＩＤが、ディスクリスト３７２に記憶されているか否かを判定する。
記録部２１に装着されている記録ディスクＤが登録済みである場合（Ｓ９１でＹＥＳ）、ＣＰＵ３０は、Ｓ８２で入力されたディスクＩＤに関連付けて、装着中情報をディスクリスト３７２に記憶させる（Ｓ９２）。次いで、ＣＰＵ３０は、記録部２１に装着されている記録ディスクＤに対して、登録済の記録ディスクＤとしてアクセスし（Ｓ９３）、処理をＳ９４へ移す。
【０１３５】
ＣＰＵ３０は、記録部２１から記録ディスクＤが排出された否かを判定する（Ｓ９４）。
記録部２１から記録ディスクＤが排出されていない場合（Ｓ９４でＮＯ）、ＣＰＵ３０は、処理をＳ９３へ戻す。
記録部２１から記録ディスクＤが排出された場合（Ｓ９４でＹＥＳ）、ＣＰＵ３０は、Ｓ８２で入力されたディスクＩＤに関連付けて、未装着情報をディスクリスト３７２に記憶させ（Ｓ９５）、処理をＳ８１へ戻す。
【０１３６】
記録部２１に装着されている記録ディスクＤが登録済みではない場合（Ｓ９１でＮＯ）、ＣＰＵ３０は、受信部１４を介して、記録部２１に装着されている記録ディスクＤの登録命令を示す操作信号を受信したか否かを判定する（Ｓ９６）。登録命令を受信していない場合（Ｓ９６でＮＯ）、ＣＰＵ３０は、処理をＳ８４へ移す。
登録命令を受信した場合（Ｓ９６でＹＥＳ）、ＣＰＵ３０は、ディスクリスト３７２を参照して、何れのディスクＩＤにも関連付けられていない録画領域（以下、空き領域という）が記憶部２５に存在するか否かを判定する（Ｓ９７）。
【０１３７】
空き領域が存在する場合（Ｓ９７でＹＥＳ）、ＣＰＵ３０は、Ｓ８２で入力されたディスクＩＤを、空き領域のラベルに関連付けてディスクリスト３７２に記憶させる（Ｓ９８）。この結果、使用者が記録部２１に装着した記録ディスクＤが録画装置１に登録される。
【０１３８】
空き領域が存在しない場合（Ｓ９７でＮＯ）、ＣＰＵ３０は、予備領域２５０の一部を新たな番組データ記憶用の録画領域として分割する（Ｓ９９）。Ｓ９９におけるＣＰＵ３０は、新たな録画領域の範囲を示すアドレス及びこの録画領域を識別するラベルを管理部２４に記憶させる。
次いで、ＣＰＵ３０は、Ｓ９９で設けた新たな録画領域のラベルと、Ｓ８２で入力されたディスクＩＤとを関連付けて、ディスクリスト３７２に記憶させる（Ｓ１００）。この結果、使用者が記録部２１に装着した記録ディスクＤが録画装置１に登録される。
【０１３９】
なお、空き領域が存在しない場合、ＣＰＵ３０は、後述するように、現時点で録画装置１に登録されている記録ディスクＤの登録を抹消することによって、空き領域を設ける構成でもよい。
【０１４０】
Ｓ９８又はＳ１００の処理終了後、ＣＰＵ３０は、処理をＳ９２に移して、Ｓ８２で入力されたディスクＩＤ、即ちＳ９８又はＳ１００でディスクリスト３７２に記憶させたディスクＩＤに関連付けて、装着中情報をディスクリスト３７２に記憶させる。
【０１４１】
ところで、図９に示すＳ４３の処理を実行している場合に、例えば記録ディスクＤ１の記録可能容量が不足するか、又は、記憶部２５の第１領域２５１の記憶可能領域が不足したときには、ＣＰＵ３０は、記録ディスクＤ１及び第１領域２５１に対する番組の録画を中止する。或いは、図１０に示すＳ６３の処理を実行している場合に、第１領域２５１の記憶可能領域が不足したときには、ＣＰＵ３０は、第１領域２５１に対する番組の録画を中止する。
【０１４２】
番組の録画中止後、ＣＰＵ３０は、残りの番組データを、予備領域２５０に記憶させる。また、図９に示すＳ４５の処理終了後、ＣＰＵ３０は、記録ディスクＤ１に記録させた中途半端な番組データを削除又は無効にする。また、ＣＰＵ３０は、第１領域２５１に記憶された中途半端な番組データを予備領域２５０に移動させる。この結果、予備領域２５０には、記録ディスクＤ１及び第１領域２５１に録画できなかった番組の番組データが記憶される。同様に、図１０に示すＳ６５の処理終了後、ＣＰＵ３０は、第１領域２５１に記憶された中途半端な番組データを予備領域２５０に移動させる。この結果、予備領域２５０には、第１領域２５１に録画できなかった番組の番組データが記憶される。
【０１４３】
次いで、ＣＰＵ３０は、記録ディスクＤ１に録画できない番組が存在することを使用者に報知する。
そこで、使用者は、記録ディスクＤ１に録画できない番組を、例えば、記録ディスクＤ２に記録させるべく、記録ディスクＤ２を記録部２１に装着する。
この場合、予備領域２５０に記憶された番組データは、記録ディスクＤ２に記録され、また、記録ディスクＤ２に関連付けられている第２領域２５２に移動される。このとき、ＣＰＵ３０は、記録ディスクＤ２及び第２領域２５２に録画された番組を示す録画番組情報と、この番組の識別情報とを、記録ディスクＤ２のディスクＩＤに関連付けて、録画リスト３７３に記憶させる。次いで、ＣＰＵ３０は、図９に示すＳ４７以降の処理を実行する。
【０１４４】
以上のような場合、第１領域２５１に記憶された中途半端な番組データを予備領域２５０に移動させることによって、完全な番組データを予備領域２５０に一旦記憶させることができる。しかも、第１領域２５１に記憶されている完全な番組データと記録ディスクＤ１に記録されている完全な番組データとを同期させることができる。
ただし、録画装置１は、このような場合に番組データを移動させず、第１領域２５１に番組データの一部が記憶され、予備領域２５０に残部が記憶された状態で管理する構成でもよい。
【０１４５】
録画装置１は、記録容量の不足によって記録ディスクＤ１に録画できない番組が存在する場合に、この番組を録画すべき記録ディスクＤ４を使用者が予め指定しておく構成でもよい。
この場合、予備領域２５０に一旦記憶された番組データは、記録ディスクＤ４に関連付けられている第４領域２５４に移動される。このとき、第４領域２５４に録画された番組を示す録画番組情報と、この番組の識別情報とを、記録ディスクＤ４のディスクＩＤに関連付けて、録画リスト３７３に記憶させる。次いで、ＣＰＵ３０は、図１０に示すＳ６７以降の処理を実行する。
【０１４６】
以下に、記憶部２５から記録ディスクＤへのダビングについて説明する。
図１３は、ＣＰＵ３０が実行するダビング処理の手順を示すフローチャートである。ＣＰＵ３０は、図１２に示すＳ９３を実行した場合に、図１３に示すダビング処理を実行する。
ＣＰＵ３０は、ディスクリスト３７２を参照して、装着中情報が関連付けられているディスクＩＤを読み出す（Ｓ１１１）。次いで、ＣＰＵ３０は、録画リスト３７３を参照し、Ｓ１１１で読み出したディスクＩＤに関連付けて未録画情報が記憶されているか居ないかを判定し（Ｓ１１２）、記憶されていない場合（Ｓ１１２でＮＯ）、ダビング処理を終了する。
【０１４７】
Ｓ１１１で読み出したディスクＩＤに関連付けて未録画情報が記憶されている場合（Ｓ１１２でＹＥＳ）、未録画情報が関連付けられている録画番組情報を読み出す（Ｓ１１３）。更に、ＣＰＵ３０は、ディスクリスト３７２を参照して、Ｓ１１１で読み出したディスクＩＤに関連付けられている録画領域のラベルを読み出す（Ｓ１１４）。
【０１４８】
次いで、ＣＰＵ３０は、Ｓ１１４で読み出したラベルによって特定される録画領域から、Ｓ１１３で読み出した録画番組情報によって特定される番組データをストレージ２２から出力させ（Ｓ１１５）、出力された番組データを、記録部２１に入力させる（Ｓ１１６）。Ｓ１１６の処理が実行されることによって、記録部２１では、番組データが記録ディスクＤに記録される。つまり、Ｓ１１６におけるＣＰＵ３０及び記録部２１は、本発明におけるデータ記録手段として機能する。
【０１４９】
次いで、ＣＰＵ３０は、ストレージ２２から出力させた番組データの記録ディスクＤに対する記録が完了したか否かを判定し（Ｓ１１７）、まだ記録されていない番組データが残っている場合は（Ｓ１１７でＮＯ）、処理をＳ１１６へ戻す。
【０１５０】
記録ディスクＤに記録すべき番組データが全て記録ディスクＤに記録された場合（Ｓ１１７でＹＥＳ）、ＣＰＵ３０は、録画リスト３７３において、Ｓ１１１で読み出したディスクＩＤに関連付けられている未録画情報を、録画済情報に更新し（Ｓ１１８）、ダビング処理を終了する。
【０１５１】
以上の結果、記録ディスクＤと、この記録ディスクＤに関連付けられている記憶領域とには、同一の番組の番組データが保存される。このため、番組を再生する際に、記録ディスクＤが記録部２１に装着されている場合であっても、記憶領域に記憶されている番組データをデコーダ３５へ出力することが望ましい。この場合、記録ディスクＤに記録されている番組データに基づいて番組を再生する場合に比べて、スムーズに番組を再生することができる。なお、著作権保護の観点から、録画装置１は、記録ディスクＤが記録部２１に装着されている場合にのみ、この記録ディスクＤに関連付けられている記憶領域に記憶されている番組データに基づく番組の再生が可能であるように構成されていてもよい。
【０１５２】
ところで、例えば記録ディスクＤ３の記録可能容量が不足しており、これ以上は番組を録画できない場合、又は、今後は録画装置１で記録ディスクＤ３に番組を録画するつもりがない場合等、使用者は、リモコン５を操作することによって、録画装置１に、記録ディスクＤ３の登録を抹消させる。
この場合、使用者は、登録を抹消すべき記録ディスクＤ３を特定するためのディスク特定情報（ディスクＩＤ、又は記録ディスクＤ３に録画されている番組の識別情報等）を記録装置１に与える。
【０１５３】
記録ディスクＤ３の登録を抹消する場合、ＣＰＵ３０は、与えられたディスク特定情報によって特定されるディスクＩＤ「００３」と、このディスクＩＤ「００３」に関連付けられている装着状況の情報とを、ディスクリスト３７２から削除する。この結果、記録ディスクＤ３に関連付けられていた第３領域２５３が、空き領域となる。空き領域に記憶されている番組データは削除してもよく、新たに記憶する番組データで上書きしてもよい。
なお、ディスクＩＤ「００３」に関連付けて録画リスト３７３に記憶されている各種情報は、削除してもよく、そのまま残しておいてもよい。
【０１５４】
ところで、連続ドラマ番組『ＨＥＲＯ』の第１話を記録ディスクＤ１及び第１領域２５１夫々に録画した後は、連続ドラマ番組『ＨＥＲＯ』の識別情報に基づいて、連続ドラマ番組『ＨＥＲＯ』の第２話以降が自動的に記録ディスクＤ１及び第１領域２５１夫々に録画される。
しかしながら、上述した手順では、連続ドラマ番組『ＨＥＲＯ』の第１話を、自動的に記録ディスクＤ１及び第１領域２５１夫々に録画することはできない。何故ならば、連続ドラマ番組『ＨＥＲＯ』の第１話を録画予約した時点では、録画リスト３７３に、連続ドラマ番組『ＨＥＲＯ』の識別情報が記憶されていないからである。
【０１５５】
このため、ＣＰＵ３０は、図７に示すＳ１２の処理終了後、録画リスト３７３を参照し、Ｓ１２で予約リスト３７１に記憶させた予約情報に、録画リスト３７３に記憶されている番組の識別情報が含まれているか否かを判定する。
Ｓ１２で予約リスト３７１に記憶させた予約情報に、録画リスト３７３に記憶されている番組の識別情報が含まれている場合は、予約受付処理を終了し、通常通り、図８に示すＳ３１以降の処理を実行する。
【０１５６】
ところが、例えばＳ１２で、連続ドラマ番組『ＡＵＴＯ』を意味する「ＡＵＴＯ」、チャンネル４を意味する「ＣＨ：４」、毎週土曜日を意味する「土曜日」、及び２０時から２２時までを意味する「２０：００〜２２：００」という予約情報が、予約リスト３７１に記憶されたとする（図３参照）。
この予約情報には、図６を参照すればわかるように、録画リスト３７３に記憶されている番組の識別情報は含まれていない。
【０１５７】
Ｓ１２で予約リスト３７１に記憶させた予約情報に、録画リスト３７３に記憶されている番組の識別情報が含まれていない場合、ＣＰＵ３０は、予約受付処理を終了する。そして、図８に示すＳ３１の処理で、この予約情報が選択された場合、ＣＰＵ３０は、Ｓ３１で選択した予約情報が示す番組を、予備領域２５０に録画する。
【０１５８】
次いで、ＣＰＵ３０は、何れの記録ディスクＤにも録画できない番組（即ち、録画先不明の番組）が存在することを使用者に報知する。
このとき、使用者は、何れの記録ディスクＤにも録画できない番組を、例えば、記録ディスクＤ４に記録させるべく、記録ディスクＤ４を記録部２１に装着する。更に、この番組の識別情報を、リモコン５を用いて、録画装置１に与える。
【０１５９】
この場合、予備領域２５０に一旦記憶された番組データは、記録ディスクＤ４に記録され、また、記録ディスクＤ４に関連付けられている第４領域２５４に移動される。このとき、記録ディスクＤ４及び第４領域２５４に録画された番組を示す録画番組情報と、与えられた識別情報とを、記録ディスクＤ４のディスクＩＤに関連付けて、録画リスト３７３に記憶させる。次いで、ＣＰＵ３０は、Ｓ４７以降の処理を実行する。
【０１６０】
或いは、録画予約の段階で、使用者が、番組の識別情報と、この番組を録画すべき記録ディスクＤのディスクＩＤとを録画装置１に与えてもよい。
【０１６１】
以上のような録画装置１は、番組の放送開始時に、記録部２１に適切な記録ディスクＤが装着されていれば、同類の番組を同一の記録ディスクＤに予約録画することができる。
また、記録部２１に適切な記録ディスクＤが装着されておらずとも、記憶部２５が有する録画領域の内、記録ディスクＤに関連付けられている録画領域に番組を予約録画し、後日、記録ディスクＤにダビングすることができる。
従って、例えば連続ドラマ番組『ＨＥＲＯ』を録画すべき記録ディスクＤ１が記録部２１に装着されている場合に、記録ディスクＤ２に録画すべき連続ドラマ番組『ＣＡＴＣＨ』が放送されても、誤って記録ディスクＤ１に連続ドラマ番組『ＣＡＴＣＨ』が録画されてしまうというトラブルは生じない。
【０１６２】
しかも、このために、使用者が、番組の録画予約と記録部２１に装着してある記録ディスクＤとの関係を正確に把握する必要も、個々の予約録画が開始される前に適切な記録ディスクＤを記録部２１に装着する必要もない。従って、使用者の負担が軽減される。
また、記憶部２５から記録ディスクＤへのダビングは、登録済の記録ディスクＤを使用者が記録部２１に装着した場合に自動的に実行される。即ち、ダビングのための煩雑な操作を使用者に強いることはない。更に、記録ディスクＤに既に録画されている番組（又は、記録ディスクＤに録画すべき番組）が何であるのか使用者が知らずともよい。
【０１６３】
ところで、番組のタイトルを番組の識別情報として用いる場合、個々の番組はタイトルを用いて特定される。このため、例えばスポーツ中継番組が１時間延長され、後続の番組が、１時間ずつ後にズレた時間帯で放送されたり、翌日に放送されたりするような場合であっても、放送される番組を、この番組に類する番組が録画されている記録ディスクＤに記録させることができる。また、複数の異なるチャンネルで放送される同じタイトルの番組（例えば「天気予報」）を収集録画することもできる。
【０１６４】
また、番組の放送日時を番組の識別情報として用いる場合、個々の番組は、チャンネル、時間帯、及び曜日を用いて特定される。このため、例えば、４月から９月まで放送される「英会話教室」というタイトルの教育番組と、この番組の後番組として１０月から３月まで放送される「イタリア語講座」というタイトルの教育番組とを同一の記録ディスクＤに記録させる場合であっても、放送される番組を、この番組に類する番組が録画されている記録ディスクＤに記録させることができる。また、複数の異なるチャンネルで放送される同一タイトルの番組を誤って録画してしまう不都合の発生が抑制される。
【０１６５】
本実施の形態では、番組のタイトル及び番組の放送日時の一方が、一の番組の識別情報として用いられる場合を例示したが、これに限定されるものではない。例えば、番組のタイトル及び番組の放送日時の両方が一の番組の識別情報として用いられる構成でもよい。この場合、ＣＰＵ３０は、既に録画されている番組のタイトル及び放送日時の両方が、新たに録画予約される番組の予約情報に含まれている場合に、新たに録画予約される番組が、既に録画されている番組に類する番組であると判定する。この結果、例えば特別番組が放送されて、所望の番組が放送中止になったときに、誤って特別番組を録画してしまう不都合を抑制することができる。
【０１６６】
また、ＣＰＵ３０は、既に録画されている番組のタイトル及び放送日時の少なくとも一方が、新たに録画予約される番組の予約情報に含まれている場合に、新たに録画予約される番組が、既に録画されている番組に類する番組であると判定する構成でもよい。
更に、ＣＰＵ３０は、番組のタイトル及び放送日時以外（例えば番組のジャンル）を、番組の識別情報として用いる構成でもよい。
【０１６７】
なお、記録ディスクＤの媒体識別情報は、記録ディスクＤの製造時に予め記録されているディスクＩＤに限定されるものではない。例えば、録画装置１は、ディスクＩＤに相当する媒体識別情報を、記録ディスクＤの登録時に記録ディスクＤに書き込む構成でもよい。
また、録画装置１は、アナログ放送の放送信号を受信するアナログチューナを備えていてもよい。この場合、アナログチューナはエンコーダ３２に接続される。
【０１６８】
更に、本実施の形態においては、録画装置１が、テレビジョン放送により放送された番組を録画するを示したが、これに限るものではない。例えば、録画装置１は、音声放送又はデータ放送等、テレビジョン放送以外の放送で放送される番組を録画する形態であってもよい。
【０１６９】
実施の形態  ２．
図１４は、本発明の実施の形態２に係る放送記録装置である録画装置１の要部構成を示すブロック図である。図１４は、実施の形態１の図２に対応する。
本実施の形態における録画装置１の要部構成は、実施の形態１における録画装置１の要部構成と略同様である。このため、実施の形態１に対応する部分には同一符号を付してそれらの説明を省略する。
【０１７０】
本実施の形態における録画装置１は、チェンジャー機能を有する。このために、記録部２１は、複数個のトレイを備える。本実施の形態における記録部２１は、３個のトレイ（第１トレイ２１１、第２トレイ２１２、及び第３トレイ２１３）を備える。
各トレイ２１１，２１２，…には、記録ディスクＤが着脱可能に装着される。記録部２１は、トレイ２１１，２１２，…の内の一のトレイに装着されている記録ディスクＤに対してデータを読み書きする。
【０１７１】
制御部２０は記録部２１の動作を常に監視しており、記録部２１のトレイ２１１，２１２，…の何れかに記録ディスクＤが装着された場合、記録ディスクＤが装着されたこと、及び記録ディスクＤが装着されたトレイを識別するためのトレイラベルを示す制御信号をＣＰＵ３０へ出力する。
【０１７２】
録画装置１では、例えば連続ドラマ番組『ＨＥＲＯ』が放送される場合に、記録部２１が備えるトレイ２１１，２１２，…の何れかに記録ディスクＤ１が装着されているならば、記録ディスクＤ１及び記憶部２５（具体的には第１領域２５１）夫々に連続ドラマ番組『ＨＥＲＯ』が予約録画される。
一方、トレイ２１１，２１２，…の何れにも記録ディスクＤ１が装着されていない場合、即ち、記録部２１に何も装着されていないか、記録ディスクＤ１以外の記録ディスクＤが装着されている場合、連続ドラマ番組『ＨＥＲＯ』は記憶部２５のみに予約録画される。
【０１７３】
そして、連続ドラマ番組『ＨＥＲＯ』が記憶部２５に予約録画された後で、トレイ２１１，２１２，…の何れかに記録ディスクＤ１が装着されたときに、記憶部２５から記録ディスクＤ１に連続ドラマ番組『ＨＥＲＯ』がダビングされる。
【０１７４】
図１５は、不揮発性メモリ３７が記憶しているディスクリスト３７２の一例を示す模式図である。図１５は、実施の形態１の図５に対応する。
実施の形態１では、記録ディスクＤが装着されていることを示す装着中情報「○」、又は、装着されていないことを示す未装着情報「×」が、この記録ディスクＤが有するディスクＩＤに関連付けてディスクリスト３７２に記憶される。
本実施の形態では、記録ディスクＤが記録部２１に装着されていない場合は、この記録ディスクＤが有するディスクＩＤに関連付けて未装着情報「×」がディスクリスト３７２に記憶される。一方、記録ディスクＤが記録部２１に装着されている場合は、装着中情報として、記録ディスクＤが装着されているトレイのトレイラベルが記憶される。
【０１７５】
第１トレイ２１１には何も装着されておらず、第２トレイ２１２に記録ディスクＤ３が装着されており、第３トレイ２１３に記録ディスクＤ２が装着されている場合（図１４参照）、図１５に示すように、記録ディスクＤ１，Ｄ４夫々のディスクＩＤに関連付けて、未装着情報「×」がディスクリスト３７２に記憶される。
【０１７６】
また、記録ディスクＤ２のディスクＩＤに関連付けて、第３トレイ２１３のトレイラベルを用いてなる装着中情報「第３トレイ」がディスクリスト３７２に記憶され、記録ディスクＤ３のディスクＩＤに関連付けて、装着中情報「第２トレイ」がディスクリスト３７２に記憶される。
換言すれば、ディスクリスト３７２を参照すれば、記録ディスクＤが記録部２１の何れのトレイに装着されているか、又はどのトレイにも装着されていないかがわかる。
【０１７７】
ＣＰＵ３０が実行する予約受付処理は、図７に示す予約受付処理と同様であるため、説明を省略する。
ＣＰＵ３０が実行する予約録画処理は、図８〜図１０に示す予約録画処理と略同様である。
ただし、Ｓ３７におけるＣＰＵ３０は、Ｓ３５で読み出したディスクＩＤを有する記録ディスクＤが記録部２１に装着されているか否かを判定し、更に、装着されているのであれば、何れのトレイに装着されているかを判定する。
【０１７８】
そして、Ｓ３５で読み出したディスクＩＤを有する記録ディスクＤが記録部２１に装着されている場合、Ｓ４１以降の処理で、ＣＰＵ３０は、Ｓ３５で読み出したディスクＩＤに関連付けられている装着中情報が示すトレイに装着されている記録ディスクＤに対して、各種処理を実行する。従って、Ｓ４３の処理が実行されることによって、記録部２１では、予約録画すべき番組の番組データが、記録部２１に装着されている記録ディスクＤの内、Ｓ３５で読み出したディスクＩＤに関連付けられている装着中情報が示すトレイに装着されている記録ディスクＤに記録される。
【０１７９】
ＣＰＵ３０が実行するディスク着脱処理は、図１１及び図１２に示すディスク着脱処理と略同様である。
Ｓ８１におけるＣＰＵ３０は、記録ディスクＤが装着されたこと、及び記録ディスクＤが装着されたトレイを識別するためのトレイラベルを示す制御信号が入力されたか否かを判定することによって、記録部２１に記録ディスクＤが装着された否かを判定する。この制御信号が入力された場合、ＣＰＵ３０は、Ｓ８２以降の処理で、制御信号が示すトレイラベルによって特定されるトレイに装着されている記録ディスクＤに対して、各種処理を実行する。
【０１８０】
ＣＰＵ３０が実行するダビング処理は、図１３に示すダビング処理を略同様である。ただし、ダビング処理は、ディスクリスト３７２に記憶されている各装着中情報が示すトレイに装着されている記録ディスクＤに対して実行される。例えば、ＣＰＵ３０は、第２トレイ２１２に装着されている記録ディスクＤ３に対してダビング処理を実行し、次いで、第３トレイ２１２に装着されている記録ディスクＤ２に対してダビング処理を実行する。
【０１８１】
以上のような録画装置１は、実施の形態１の録画装置１と同様の効果を奏する。
更に、記録部２１に複数枚の記録ディスクＤ，Ｄ，…を装着することが可能であるため、記録部２１に装着されている記録ディスクＤを、装着されていない記録ディスクＤに取り替える手間暇が低減される。
特に、録画装置１に登録されている全ての記録ディスクＤ，Ｄ，…が記録部２１に装着されている場合は、記録部２１に装着されている記録ディスクＤを、装着されていない記録ディスクＤに取り替えずとも、放送される番組を自動的に分類して、各記録ディスクＤに記録することができる。
【０１８２】
また、同時的に複数枚の記録ディスクＤ，Ｄ，…に対して番組データを記録することはない。このため、録画装置１は、同時に２個以上の記録媒体に番組データを記録するための煩雑な処理及び複雑な回路構成が不要である。
【０１８３】
なお、今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。例えば、実施の形態１，２においては、記録ディスクＤに番組データを記録する録画装置１を説明したが、これに限定されるものではない。即ち、録画装置１は、自身に装着された携帯型のハードディスク、又はメモリカード等に番組データを記録する構成でもよい。
また、本発明の効果がある限りにおいて、録画装置１に、実施の形態１，２に開示されていない構成要素が含まれていてもよい。
【符号の説明】
【０１８４】
１      録画装置（放送記録装置）
２０    制御部
２１    記録部
２５    記憶部（番組記憶部）
２５１  第１領域（記憶領域）
２５２  第２領域（記憶領域）
２５３  第３領域（記憶領域）
２５４  第４領域（記憶領域）
２５５  第５領域（記憶領域）
３０    ＣＰＵ
３７    不揮発性メモリ（媒体記憶部，識別記憶部，予約記憶部）
Ｄ，Ｄ１，Ｄ２，Ｄ３，Ｄ４，Ｄ５  記録ディスク（記録媒体）
【図１】
2010251991.tif 000003
【図２】
2010251991.tif 000004
【図３】
2010251991.tif 000005
【図４】
2010251991.tif 000006
【図５】
2010251991.tif 000007
【図６】
2010251991.tif 000008
【図７】
2010251991.tif 000009
【図８】
2010251991.tif 000010
【図９】
2010251991.tif 000011
【図１０】
2010251991.tif 000012
【図１１】
2010251991.tif 000013
【図１２】
2010251991.tif 000014
【図１３】
2010251991.tif 000015
【図１４】
2010251991.tif 000016
【図１５】
2010251991.tif 000017